(57)【要約】【課題】医業現場において各担当者間で必要な情報を共有し、業務の遂行を効率化する。【解決手段】複数の医療業務を含むリストから患者に対する医療業務を選択させる画面データを、ネットワークを介して接続される情報処理装置に送信する画面データ送信処理部と、画面データに含まれる複数の医療業務から選択された医療業務の識別子を含む選択データを、情報処理装置から受信する選択データ受信処理部と、選択データ受信処理部が受信した選択データで選択された医療業務を遂行する作業を、医療業務の遂行に必要な各作業を含む作業データから抽出する抽出部と、抽出部が抽出した作業を含む作業リストデータを、情報処理装置に送信する作業リスト送信処理部とを備える。【選択図】図１
2018077731.tif 000002
【特許請求の範囲】
【請求項１】
複数の医療業務を含むリストから患者に対する医療業務を選択させる画面データを、ネットワークを介して接続される情報処理装置に送信する画面データ送信処理部と、
画面データに含まれる複数の医療業務から選択された医療業務の識別子を含む選択データを、前記情報処理装置から受信する選択データ受信処理部と、
前記選択データ受信処理部が受信した選択データで選択された医療業務を遂行する作業を、医療業務の遂行に必要な各作業を含む作業データから抽出する抽出部と、
前記抽出部が抽出した作業を含む作業リストデータを、前記情報処理装置に送信する作業リスト送信処理部と、を備える業務遂行装置。
【請求項２】
前記作業データは、複数の作業と、各作業を達成するためのタスクとが関連付けられて作業データ記憶部に記憶され、
前記抽出部は、前記選択データ受信処理部が受信した選択データで選択された医療業務を遂行する作業を達成するタスクを抽出し、
前記作業リスト送信処理部は、前記抽出部が抽出したタスクを含む作業リストデータを送信する、請求項１に記載の業務遂行装置。
【請求項３】
前記選択データ受信処理部が受信する選択データは、患者の識別情報を含み、
作業リストデータに含まれる各作業の進行状況に関するステータスを、前記情報処理装置から受信するステータス受信処理部と、
前記ステータス受信処理部が受信した各業務の進行状況に関するステータスを、前記選択データ受信処理部が受信した患者の識別情報と関連づけるステータスデータとしてステータス記憶部に記憶する記憶処理部と、をさらに備える請求項１又は２に記載の業務遂行装置。
【請求項４】
前記抽出部は、患者の過去の医療情報に関するカルテデータを参照可能であって、当該カルテデータから、前記選択データ受信処理部が受信する選択データに含まれる患者の医療情報を抽出し、当該患者に必要な作業を抽出する、請求項３に記載の業務遂行装置。
【請求項５】
前記ステータス受信処理部がステータスを受信すると、医療業務を遂行するための作業と、前記作業に対するステータスとを含むステータスリストデータを、前記情報処理装置に送信するステータスリスト送信処理部と、を備える請求項３又は４に記載の業務遂行装置。
【請求項６】
医療業務を遂行する作業に関する作業データを受け付ける作業受付部と、
前記作業受付部が受け付けた作業を含む画面データを生成し、生成した画面データを画面データ記憶部に記憶させる画面データ生成部と、をさらに備え、
前記画面データ送信処理部は、前記画面データ生成部で生成され、前記画面データ記憶部に記憶される画面データを送信する請求項１乃至５のいずれか１項に記載の業務遂行装置。
【請求項７】
医療業務を遂行する作業を達成するタスクを含む作業データを受け付ける作業受付部と、
前記作業受付部が受け付けたタスクを含む画面データを生成し、生成した画面データを画面データ記憶部に記憶させる画面データ生成部と、をさらに備え、
前記画面データ送信処理部は、前記画面データ生成部で生成され、前記画面データ記憶部に記憶される画面データを送信する請求項２に記載の業務遂行装置。
【請求項８】
複数の医療業務を含むリストから患者に対する医療業務を選択させる画面データを、ネットワークを介して接続される情報処理装置に送信する画面データ送信処理ステップと、
画面データに含まれる複数の医療業務から選択された医療業務の識別子を含む選択データを、前記情報処理装置から受信する選択データ受信処理ステップと、
前記選択データ受信処理ステップで受信した選択データで選択された医療業務を遂行する作業を、医療業務の遂行に必要な各作業を含む作業データから抽出する抽出ステップと、
前記抽出ステップで抽出した作業を含む作業リストデータを、前記情報処理装置に送信する作業リスト送信処理ステップと、
を有する業務遂行方法。
【請求項９】
コンピューターを、
複数の医療業務を含むリストから患者に対する医療業務を選択させる画面データを、ネットワークを介して接続される情報処理装置に送信する画面データ送信処理機能と、
画面データに含まれる複数の医療業務から選択された医療業務の識別子を含む選択データを、前記情報処理装置から受信する選択データ受信処理機能と、
前記選択データ受信処理機能で受信した選択データで選択された医療業務を遂行する作業を、医療業務の遂行に必要な各作業を含む作業データから抽出する抽出機能と、
前記抽出機能で抽出した作業を含む作業リストデータを、前記情報処理装置に送信する作業リスト送信処理機能と、して機能させる業務遂行プログラム。
【発明の詳細な説明】
【技術分野】
【０００１】
本発明は、医療関係者間で情報を共有し、業務を効率化し、医療現場において業務の遂行を補助するものである。
【背景技術】
【０００２】
病院での業務の負担を軽減するシステムとして、様々なシステムが開発されている。例えば、病院で利用されるシステムとして、様々な電子カルテの開発が進められている。電子カルテは、患者の情報を記録し、複数の医師間で共有するため、有効なシステムである。
【０００３】
また、病院から患者へ治療等のスケジュールの説明に利用するクリニカルパスを作成するシステムもある（例えば、特許文献１参照）。クリニカルパスを利用することで、患者が治療等の計画を把握し、安心して治療等を受けることが可能となる点で有効である。
【０００４】
さらに、医療関係者において、手術に関する情報を共有するシステムもある（例えば、特許文献２参照）。手術においては、複数の医師、看護師、検査技師等の作業が必要となり、情報の共有が必要となる点で、このようなシステムは有効である。
【０００５】
その他、病院で利用されるシステムとして、オーダリングシステムもある（例えば、特許文献３参照）。オーダリングシステムは、病院内で、医師や看護師等の医療関係者が、検査・処方等に関する情報を伝達するシステムである。具体的には、医師が、看護師や検査技師に検査内容や処方箋の指示である「オーダ」を口頭で伝える代わりに、コンピューターに入力して、ネットワーク等を介して伝達するものである。このようなオーダリングシステムも、オーダの伝達が用意となる点で有効なシステムである。
【０００６】
ところで、このように様々なシステムが改良されているが、病院によって同一の業務を遂行するにあたっても、作業の流れが異なることもある。医師等の医療関係者は、同時に複数の病院を掛け持ちしたり、移動等で異なる病院に移ることもある。したがって、作業の流れが異なる病院を掛け持ちしたり、移動したりすると、医療業務を遂行するにあたり、そのために必要な作業を理解していたとしても、その病院の方法に慣れずに戸惑うこともある。
【０００７】
また、従来のオーダリングシステムでは、単に作業名等が示されるのみで、具体的に何をするか等が明らかにされてない場合もある。したがって、事前に十分にその作業内容等を把握していないと、その作業について知識の少ない担当者は、詳しい担当者に確認が必要になる等、作業に時間がかかるおそれがある。
【先行技術文献】
【特許文献】
【０００８】
【特許文献１】特開２０１５−６９４９７号公報
【特許文献２】特開２０１６−６２４８０号公報
【特許文献３】特開２０１５−１９７７１３号公報
【発明の概要】
【発明が解決しようとする課題】
【０００９】
上述したように、従来のシステムでは、医業現場において各担当者間で必要な情報を十分に共有できていない場合、円滑な業務の遂行を妨げるおそれがあった。
【課題を解決するための手段】
【００１０】
上記課題を解決するために、本発明の一態様に係る業務遂行装置は、複数の医療業務を含むリストから患者に対する医療業務を選択させる画面データを、ネットワークを介して接続される情報処理装置に送信する画面データ送信処理部と、画面データに含まれる複数の医療業務から選択された医療業務の識別子を含む選択データを、情報処理装置から受信する選択データ受信処理部と、選択データ受信処理部が受信した選択データで選択された医療業務を遂行する作業を、医療業務の遂行に必要な各作業を含む作業データから抽出する抽出部と、抽出部が抽出した作業を含む作業リストデータを、情報処理装置に送信する作業リスト送信処理部とを備える。
【発明の効果】
【００１１】
本発明の一態様に係る業務遂行装置、業務遂行方法及び業務遂行プログラムは、医業現場において各担当者間で必要な情報を共有し、業務の遂行を効率化することができる。
【図面の簡単な説明】
【００１２】
【図１】本発明の一実施形態に係る業務遂行システムの構成を説明するブロック図である。
【図２】図１の業務遂行システムにおける業務、遂行作業及びタスクの関係を説明する概略図である。
【図３】図１の業務遂行システムで表示される表示画面の一例である。
【図４】図１の業務遂行システムで表示される表示画面の一例である。
【図５】図１の業務遂行システムで表示される表示画面の一例である。
【図６】図１の業務遂行システムで表示される表示画面の一例である。
【図７】図１の業務遂行システムで表示される表示画面の一例である。
【図８】図１の業務遂行システムで表示される表示画面の一例である。
【図９】図１の業務遂行システムで表示される表示画面の一例である。
【図１０】図１の業務遂行システムにおいて作業の進行状況の表示例を説明する図である。
【図１１】図１の業務遂行システムにおける処理を説明するシーケンス図である。
【発明を実施するための形態】
【００１３】
以下に、図面を用いて本発明の実施形態に係る業務遂行システム、業務遂行装置、業務遂行方法及び業務遂行プログラムについて説明する。実施形態に係る業務遂行システム、業務遂行装置、業務遂行方法及び業務遂行プログラムは、医療現場において、医師、看護師、検査技師、受付担当者、会計担当者等の医療関係者間において、医療業務の遂行状況を確認し、業務の遂行のための情報を共有することができるオーダリングシステムに関する。ここで、「医療業務」とは、医師による患者への治療、手術及び処方、看護師による患者への処置、検査技師による検査等、医療現場における種々の業務を含む。以下に、図面を用いて本実施形態に係る業務遂行システム、業務遂行装置、業務遂行方法及び業務遂行プログラムについて説明する。以下の説明において、同一の構成については、同一の符号を付して説明を省略する。
【００１４】
図１に示すように、業務遂行システム１００は、業務遂行装置１と、情報処理装置２Ａ〜２Ｃとがネットワーク３を介して接続される。図１において、業務遂行システム１００は、３台の情報処理装置２Ａ〜２Ｃを有する例を示すが、業務遂行システム１００が備える情報処理装置２Ａ〜２Ｃの数は、限定されない。
【００１５】
情報処理装置２Ａ〜２Ｃは、病院において、医師、看護師、検査技師、受付担当者等により利用される中央処理装置、記憶装置、通信インタフェース、入力装置及び出力装置等を備える情報処理端末である。例えば、入力装置は、操作ボタン、キーボード、タッチパネル、マウス等である。また、出力装置は、ディスプレイ、プリンタ、スピーカ等である。
【００１６】
これら複数の情報処理装置２Ａは、異なる担当者に利用される。例えば、情報処理装置２Ａは、医師により利用される。また、情報処理装置２Ｂは、看護師に利用される。さらに、情報処理装置２Ｃは、受付担当者により利用される端末である。
【００１７】
例えば、医師は、情報処理装置２Ａを用いて、受付担当者から入力された患者の情報やカルテ情報等を参照することができる。また、医師は、情報処理装置２Ａを用いて、カルテに追加する情報を入力することができる。さらに、医師は、情報処理装置２Ａを用いて、看護師や検査技師等に依頼する業務に関する情報や共有する情報、自身の業務の遂行情報を入力することができる。
【００１８】
例えば、看護師は、情報処理装置２Ｂを用いて、医師から依頼される業務に関する情報や、医師から共有される情報を参照することができる。また、看護師は、情報処理装置２Ｂを用いて、自身の業務の遂行情報を入力することができる。
【００１９】
例えば、受付担当者は、情報処理装置２Ｃを用いて、医師や看護師と共有するため、来院した患者の情報を入力することができる。
【００２０】
業務遂行装置１は、図１に示すように、画面データ送信処理部１０１と、選択データ受信処理部１０２と、抽出部１０３と、作業リスト送信処理部１０４と、ステータス受信処理部１０５と、記憶処理部１０６と、ステータスリスト送信処理部１０７と、作業受付部１０８と、画面データ生成部１０９とを備える。
【００２１】
この業務遂行装置１は、中央処理装置（ＣＰＵ）１０、記憶装置１２、通信インタフェース（通信Ｉ／Ｆ）１３等を備える情報処理装置やサーバ装置等で実現することができる。また、業務遂行装置１は、ＣＰＵ１０、記憶装置１２及び通信Ｉ／Ｆ１３に加え、操作ボタンやキーボード等の入力装置１４や、表示ディスプレイやスピーカ等の出力装置１５を備えてもよい。
【００２２】
例えば、記憶装置１２に記憶される業務遂行プログラムＰが実行されることで、ＣＰＵ１０が、画面データ送信処理部１０１と、選択データ受信処理部１０２と、抽出部１０３と、作業リスト送信処理部１０４と、ステータス受信処理部１０５と、記憶処理部１０６と、ステータスリスト送信処理部１０７と、作業受付部１０８と、画面データ生成部１０９としての処理を実行する。
【００２３】
なお、記憶装置１２は、業務遂行プログラムＰに加え、画面データ１２１、ステータスデータ１２２、カルテデータ１２３、コンテンツデータ１２４を記憶してもよい。
【００２４】
図２（ａ）に示すように、業務遂行システム１００において、『医療業務』を小項目としたとき、各医療業務に到達するまでに、大項目である『インデックス名』、中項目である『サブインデックッス名』に分類して整理される。図２に示す例では、『検査』の大項目、『血液検査』の中項目を辿り、小項目である『肝臓セット検査』に辿りつくことができる。
【００２５】
図２（ｂ）に示すように、例えば、『医療業務』の一例である『肝臓セット検査』は、『問診』、『バイタルチェック』、『検査』及び『処置』の複数の『遂行作業』で構成される。また、『医療業務』の他の一例である『一般尿検査』は、『検査』、『バイタルチェック』、『判定』及び『問診』の複数の『遂行作業』で構成される。この場合、『肝臓セット検査』と『一般尿検査』の遂行作業として、『問診』、『バイタルチェック』、『検査』とで重複するものがある。一人の患者に対して複数の『医療業務』を行う場合、業務遂行システム１００では、このような重複する『遂行作業』については、複数回行うことが無いように計画を立てることができる。
【００２６】
そして、図２（ｃ）に示すように、『問診』、『バイタルチェック』、『検査』及び『処置』等の各『遂行作業』は、例えば、『指示』、『申し送り』、『コマンド』、『ひな形』及び『リファレンス』等の複数の『タスク』を含む。したがって、各『遂行作業』と関連付けてこれらの『タスク』に関する情報を提供することで、担当者は、それらの『遂行作業』を効率的に行うことができる。また、必要に応じて、各遂行作業やタスクで必要になる情報に関する画像データや動画データを提供することで、担当者は、『遂行作業』を効率的に行うことが可能となる。具体的には、必要な道具のある場所を示す画像や、作業の手順を撮影した動画像等が考えられる。
【００２７】
画面データ１２１は、情報処理装置２Ａ〜２Ｃの出力装置であるディスプレイに表示画面を表示する為のデータである。
【００２８】
例えば、画面データ１２１は、図３に示す表示画面Ｗ１を表示することができる。この表示画面Ｗ１は、受付がされた患者に関するリストを含む。図３に示す一例の表示画面Ｗ１は、患者が来院時に受付した時間や待ち時間を表示する表示部ｂ１１、患者の情報を表示する表示部ｂ１２、この患者の治療等の業務の遂行に必要な伝票を表示するために利用される操作ボタンｂ１３、この患者の治療等の業務の遂行に必要な情報を印刷するために利用される操作ボタンｂ１４、この患者の治療等の業務の遂行に必要な情報の登録に利用される操作ボタンｂ１５、この患者の来院のリストを表示するために利用される操作ボタンｂ１６、対応の必要がある情報の表示に利用される操作ボタンｂ１７等を有する。
【００２９】
また、画面データ１２１は、図４に示す表示画面Ｗ２を表示することができる。この表示画面Ｗ２は、受付がされ、診察を待つ患者に関する情報を含む。図４に示す一例の表示画面Ｗ２は、患者の受付番号を表示する表示部ｂ２１、受付時間を表示する表示部ｂ２２、受付された患者の氏名を表示する表示部ｂ２３、担当主治医の情報を表示する表示部ｂ２４、各診察室で担当する医師の情報を表示する表示部ｂ２５、各診察室での診察を待つ患者人数を表示する表示する表示部ｂ２６、各診察室での診察を待つ患者の氏名を表示する表示部ｂ２７等を有する。
【００３０】
画面データ１２１は、図３に示す表示画面Ｗ１において、操作ボタンｂ１３を操作することで、図５に示す表示画面Ｗ３を表示することができる。この表示画面Ｗ３は、医療業務の遂行に必要な具体的内容である遂行作業を表示部ｂ３０に複数含み、これらを選択可能な画面である。図５に示す一例の表示画面Ｗ３は、業務の依頼先の指定に利用する操作ボタンｂ３１、業務の内容の指定に利用する操作ボタンｂ３２、選択した業務の内容の保存や更新に利用する操作ボタンｂ３３、表示画面Ｗ３を閉じてもとの画面に戻るために利用する操作ボタンｂ３４を有する。
【００３１】
表示画面Ｗ３において、操作ボタンｂ３１を操作することで、例えば、図６に示すように、業務の依頼先の選択に利用する表示部ｂ３１１が表示される。利用者である医師等は、業務の依頼先をこの表示部ｂ３１１から選択することができる。例えば、医師は、この表示部ｂ３１１が含むチェックボックスｂ３１２にチェックを入力することで、業務の依頼先を指定することができる。
【００３２】
表示画面Ｗ３において、操作ボタンｂ３２を操作することで、例えば、図７に示すように、業務（医療業務）の内容である遂行作業の選択に利用する表示部ｂ３２１が表示される。利用者である医師等は、表示部ｂ３０から患者に必要な遂行作業を選択してもよいし、表示部ｂ３２１に表示される遂行作業から選択することができる。ここで、表示部ｂ３２１に含まれる業務を選択した場合、その業務を達成するために必要な遂行作業が自動的に選択される。選択された遂行作業は、表示部ｂ３０中で、強調されて表示される等により、利用者に必要なタスクを把握させることができる。また、利用者は、表示部ｂ３０に含まれるタスクから選択する必要がなくなるため、選択作業を効率化することができる。なお、操作ボタンｂ３２２の操作により、表示部ｂ３２１を閉じることができる。
【００３３】
さらに、画面データ１２１は、図９に示す表示画面Ｗ４を表示することができる。この表示画面Ｗ４は、受付がされた患者の医療業務の進行を表すとともに、医療業務を遂行するための遂行作業を特定し、また、複数の医療関係者間での情報の共有に利用可能な画面である。図９に示す一例の表示画面は、情報の登録が完了した際に利用される操作ボタンｂ４１、診察が終了した際に利用される操作ボタンｂ４２、会計が終了した際に利用される操作ボタンｂ４３、必要な情報を印刷する際に利用される操作ボタンｂ４４、選択可能な医療業務が表示される表示部ｂ４５、表示部ｂ４５内から選択された医療業務を遂行する遂行作業及び各遂行作業の進行状況が表示される表示部ｂ４６、医療業務や遂行作業の実行に関する指示を入力可能な入力部ｂ４７、申し送り事項を入力可能な入力部ｂ４８、医療業務において発生する費用に関する情報を入力可能な入力部ｂ４９、各遂行作業の実施完了の登録に利用する操作ボタンｂ４１０、各遂行作業の承認の登録に利用する操作ボタンｂ４１１等を有する。
【００３４】
表示部ｂ４６が含む表示部ｂ４６１は、例えば、図１０に示すように進行状況を表す。例えば、遂行作業がされていない場合には、図１０（ａ）に示すような状態を表示する。また確認がされた場合には、図１０（ｂ）に示すような状態を表示する。さらに実行された場合には、図１０（ｃ）に示すような状態を表示する。そして、実行について承認が完了した場合には、図１０（ｄ）に示すような状態を表示する。なお、図１０（ａ）〜図１０（ｄ）に示す各状態を異なる色で表すことで、進行状況を更に分かりやすくすることができる。
【００３５】
ステータスデータ１２２は、患者に対する医療業務の進行状況に関するステータスを含むデータである。
【００３６】
カルテデータ１２３は、患者の病状、処置、経過、処方等の記録に関するデータである。
【００３７】
コンテンツデータ１２４は、作業の説明に関する画像データ、動画データ等である。
【００３８】
画面データ送信処理部１０１は、情報処理装置２Ａ〜２Ｃのリクエストに応答して、記憶装置１２から対応する画面データ１２１を読み出し、情報処理装置２Ａ〜２Ｃに送信する。例えば、画面データ送信処理部１０１は、複数の医療業務を含むリストから患者に対する医療業務を選択させる画面データ１２１を、記憶装置１２から読み出し、ネットワーク３を介して接続される情報処理装置２Ａ〜２Ｃに送信する。なお、画面データ生成部１０９で生成された画面データ１２１が記憶装置１２に記憶されるとき、画面データ送信処理部１０１は、画面データ生成部１０９が生成した画面データ１２１を送信する。
【００３９】
選択データ受信処理部１０２は、画面データに含まれる複数の医療業務から選択された医療業務の識別子を含む選択データを、情報処理装置２Ａ〜２Ｃから受信する。なお、選択データ受信処理部１０２が受信する選択データは、患者の識別情報を含む。例えば、情報処理装置２Ａにおいて、図７に示す表示画面Ｗ３の表示部ｂ３２１に含まれる医療業務から『肝臓セット』が選択されると、『肝臓セット』の識別子を選択データとして受信する。
【００４０】
抽出部１０３は、選択データ受信処理部１０２が受信した選択データで選択された医療業務を遂行する作業を、医療業務の遂行に必要な各作業を含む作業データから抽出する。ここで、作業が複数のタスクで構成されるとき、抽出部１０３は、選択データ受信処理部１０２が受信した選択データで選択された医療業務を遂行する作業を達成するタスクを抽出することができる。例えば、抽出部１０３が抽出するタスクは、図８表示画面Ｗ３の表示部ｂ３０にタスクに含まれる必要なタスクである。
【００４１】
また、抽出部１０３は、患者の過去の医療情報に関するカルテデータ１２３を参照可能であって、カルテデータ１２３から、選択データ受信処理部１０２が受信する選択データに含まれる患者の医療情報を抽出し、その患者に必要な作業を抽出してもよい。例えば、採血をする場合に、ある項目については近い過去に行ったために不要であるとき、その作業やタスクについては、抽出しないようにすることができる。
【００４２】
作業リスト送信処理部１０４は、抽出部１０３が抽出した作業を含む作業リストデータを、情報処理装置２Ａ〜２Ｃに送信する。ここで、作業が複数のタスクで構成されるとき、作業リスト送信処理部１０４は、抽出部１０３が抽出したタスクを含む作業リストデータを送信する。具体的には、作業リスト送信処理部１０４は、図９に示す表示画面Ｗ４を表示する画面データと共に、作業リストデータを送信する。これにより、情報処理装置２Ａ〜２Ｃでは、医療業務の遂行の際に、具体的な遂行作業やタスクを確認することができる。
【００４３】
ステータス受信処理部１０５は、作業リストデータに含まれる各作業やタスクの進行状況に関するステータスを、情報処理装置２Ａ〜２Ｃから受信する。
【００４４】
記憶処理部１０６は、ステータス受信処理部１０５が受信した各業務の進行状況に関するステータスを、選択データ受信処理部１０２が受信した患者の識別情報と関連づけるステータスデータ１２２として記憶装置１２に記憶する。
【００４５】
ステータスリスト送信処理部１０７は、ステータス受信処理部１０５がステータスを受信すると、医療業務を遂行するための作業と、作業に対する進行状況であるステータスとを含むステータスリストデータを、情報処理装置２Ａ〜２Ｃに送信する。ここで、ステータスリスト送信処理部１０７は、画面データ送信処理部１０１が図９に示す表示画面Ｗ４を表示する画面データを送信する際、これと共に、リストデータを送信してもよい。これにより、情報処理装置２Ａ〜２Ｃにおいて表示画面Ｗ４を表示する際に、その進行状況を表示部ｂ４６１に含めることができる。
【００４６】
作業受付部１０８は、画面データ１２１に新たな作業を追加する際、医療業務を遂行する新たな作業に関する作業データを受け付ける。また、作業受付部１０８は、医療業務を遂行する作業を達成するタスクを含む作業データを受け付ける。
【００４７】
画面データ生成部１０９は、作業受付部１０８が受け付けた作業を含む画面データを生成する。また、画面データ生成部１０９は、生成した画面データ１２１を記憶装置１２に記憶させる。なお、画面データ生成部１０９は、作業受付部１０８がタスクを含む作業データを受け付けたとき、タスクを含む画面データを生成する。これにより、利用者は、新たな作業を追加することができる。
【００４８】
図１１に示すシーケンス図を用いて、実施形態に係る業務遂行システムにおける業務遂行方法について説明する。例えば、情報処理装置２Ａは、業務遂行装置１に画面データの送信を要求するリクエストを送信する（Ｓ１）。
【００４９】
業務遂行装置１は、リクエストに応答して、記憶装置１２に記憶される画面データ１２１から、対応するデータを読み出す（Ｓ２）。
【００５０】
また、業務遂行装置１は、ステップＳ２で読み出した画面データ１２１を、情報処理装置２Ａに送信する（Ｓ３）。
【００５１】
情報処理装置２Ａは、受信した画面データに含まれる複数の医療業務から医療業務が選択されると（Ｓ４）、選択された医療業務を特定する識別子等の選択データを業務遂行装置１に送信する（Ｓ５）。
【００５２】
業務遂行装置１は、選択データで選択された医療業務を遂行する作業を、医療業務の遂行に必要な各作業を、記憶装置に含まれるデータから抽出する（Ｓ６）。具体的には、作業は、画面データ１２１に含まれていてもよいし、作業データ（図示せず）として記憶装置１２に記憶されていてもよい。
【００５３】
また、業務遂行装置１は、選択された作業を含む作業リストデータを、情報処理装置２Ａに送信する（Ｓ７）。
【００５４】
情報処理装置２Ａは、作業リストデータが含む作業を含む表示画面を表示する（Ｓ８）。
【００５５】
情報処理装置２Ａは、ステップＳ８で表示した表示画面が含む作業の実行等がされた操作が入力されると（Ｓ９）、その作業に関するステータス、すなわち、作業の状況に関するデータを業務遂行装置１に送信する（Ｓ１０）。
【００５６】
ステータスを受信した業務遂行装置１は、そのステータスをステータスデータ１２２として記憶装置１２に登録する（Ｓ１１）。
【００５７】
その後、情報処理装置２Ｂからリクエストが送信されると（Ｓ１２）、業務遂行装置１は、リクエストに応じて記憶装置１２に記憶される画面データ１２１から、該当するデータを読み出す（Ｓ１３）。
【００５８】
また、業務遂行装置１は、読み出した画面データを情報処理装置２Ｂに送信する（Ｓ１４）。情報処理装置２Ｂは、受信した画面データを表示することで、必要な情報を把握し、業務を円滑に進めることができる。なお、図１１に示す例では、情報処理装置２Ａにより、情報を登録し、また、情報処理装置２Ｂで画面を表示するものとして説明したが、情報処理装置２Ａ〜２Ｃの全てが、情報の登録、参照等同一の処理を実行することができる。
【００５９】
上記実施の形態において、業務遂行装置１の各部は、上述したように、ＣＰＵおよびメモリを用いてソフトウェアによって実現してもよいし、集積回路（ＩＣ（Ｉｎｔｅｇｒａｔｅｄ  Ｃｉｒｃｕｉｔ）チップ、ＬＳＩ（Ｌａｒｇｅ  Ｓｃａｌｅ  Ｉｎｔｅｇｒａｔｉｏｎ））等に形成された論理回路（ハードウェア）や専用回路によって実現してもよい。また、各機能部は、１又は複数の集積回路により実現されてよく、複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。また、当該回路は、再構築可能な回路（例えば、ＦＰＧＡ：Ｆｉｅｌｄ  Ｐｒｏｇｒａｍｍａｂｌｅ  Ｇａｔｅ  Ａｗａｙ）により実現されてもよい。
【００６０】
業務遂行装置１の各機能部をソフトウェアにより実現する場合、業務遂行装置１は、各機能を実現するソフトウェアである業務遂行プログラムＰの命令を実行するＣＰＵ、業務遂行プログラムＰおよび各種データがコンピューター（又はＣＰＵ）で読み取り可能に記録されたＲＯＭ（Ｒｅａｄ  Ｏｎｌｙ  Ｍｅｍｏｒｙ）又は記憶装置（これらを「記録媒体」と称する）、業務遂行プログラムＰを展開するＲＡＭ（Ｒａｎｄｏｍ  Ａｃｃｅｓｓ  Ｍｅｍｏｒｙ）などを備えている。そして、コンピューター（又はＣＰＵ）が業務遂行プログラムＰを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、業務遂行プログラムＰは、業務遂行プログラムＰを伝送可能な任意の伝送媒体（通信ネットワークや放送波等）を介して上記コンピューターに供給されてもよい。本発明は、業務遂行プログラムＰが電子的な伝送によって具現化された、搬送波に埋め込まれたデータ信号の形態でも実現され得る。
【００６１】
なお、業務遂行プログラムＰは、例えば、ＡｃｔｉｏｎＳｃｒｉｐｔ、ＪａｖａＳｃｒｉｐｔ（登録商標）などのスクリプト言語、Ｏｂｊｅｃｔｉｖｅ−Ｃ、Ｊａｖａ（登録商標）などのオブジェクト指向プログラミング言語、ＨＴＭＬ５などのマークアップ言語などを用いて実装できる。
【００６２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【００６３】
上記実施の形態に示した構成並びに参考例に示した構成は適宜組み合わせることとしてもよい。
【符号の説明】
【００６４】
１００ 業務遂行システム
１ 業務遂行装置
１０ ＣＰＵ
１０１ 画面データ送信処理部
１０２ 選択データ受信処理部 
１０３ 抽出部
１０４ 作業リスト送信処理部
１０５ ステータス受信処理部
１０６ 記憶処理部
１０７ ステータスリスト送信処理部
１０８ 作業受付部
１０９ 画面データ生成部
１２ 記憶装置
１２１ 画面データ 
１２２ ステータスデータ
１２３ カルテデータ
１２４ コンテンツデータ
１４ 入力装置
１５ 出力装置
２Ａ〜２Ｃ 情報処理装置
３ ネットワーク
【図１】
2018077731.tif 000003
【図２】
2018077731.tif 000004
【図３】
2018077731.tif 000005
【図４】
2018077731.tif 000006
【図５】
2018077731.tif 000007
【図６】
2018077731.tif 000008
【図７】
2018077731.tif 000009
【図８】
2018077731.tif 000010
【図９】
2018077731.tif 000011
【図１０】
2018077731.tif 000012
【図１１】
2018077731.tif 000013